(57)【要約】【課題】  番組データによって与えられる一義的なジャンルという概念を、ユーザによってさらに詳細に定義できるように構成することにより、ユーザの好みに合ったジャンルごとのディスクを作製可能とする。【解決手段】  検索キーワードをキーワードグループとしてグループごとに管理する管理ファイルを備えており、かつ、キーワードグループがトレイごとに設定されている場合において、例えばトレイ番号２のトレイ２１ｂに載置された光ディスク１に、キーワードグループとして「お笑い」が設定されている場合には、システムコントローラ１０は、この「お笑い」に含まれる検索キーワードである例えば「ドランクドラゴン」と「笑い飯」を管理ファイルから抽出し、これらキーワードを含む番組のみをトレイ番号２のトレイ２１ｂに載置されている光ディスク１に記録する。【選択図】  図１
2005346801.tif 000002
【特許請求の範囲】
【請求項１】
複数枚のディスクをそれぞれトレイ上に載置して交換可能に保持するディスク保持手段と、番組のタイトルなどの番組データを含む放送信号を受信する受信手段と、前記保持手段の各トレイに保持している複数枚のディスクの中から任意のディスクを選択し、前記受信手段にて受信した放送信号を記録する記録制御手段とを備え、前記番組データを用いたキーワード検索記録が可能なチェンジャー型情報記録装置において、
前記キーワードをグループ単位で管理するキーワードグループ管理手段と、
各キーワードグループで管理される１または複数のキーワードをユーザが入力する入力手段とをさらに備えており、
前記キーワードグループが前記任意のトレイとそのトレイに載置される任意のディスクの両方に関連付けて設定されており、
前記記録制御手段は、前記トレイに設定されたキーワードグループと前記ディスクに設定されたキーワードグループとが一致する場合には、前記トレイ上に載置されたディスクに、当該キーワードグループに属するキーワードが含まれる番組の放送信号を記録し、前記トレイに設定されたキーワードグループと前記ディスクに設定されたキーワードグループとが異なる場合には、ユーザに対して警告を発することを特徴とするチェンジャー型情報処理装置。
【請求項２】
複数枚のディスクをそれぞれトレイ上に載置して交換可能に保持するディスク保持手段と、番組のタイトルなどの番組データを含む放送信号を受信する受信手段と、前記保持手段の各トレイに保持している複数枚のディスクの中から任意のディスクを選択し、前記受信手段にて受信した放送信号を記録する記録制御手段とを備え、前記番組データを用いたキーワード検索記録が可能なチェンジャー型情報記録装置において、
前記キーワードをグループ単位で管理するキーワードグループ管理手段と、
各キーワードグループで管理される１または複数のキーワードをユーザが入力する入力手段とをさらに備えており、
前記記録制御手段は、前記入力手段にて入力され、前記キーワードグループ管理手段にて管理されている各グループのキーワードにて前記番組データを検索し、該当するキーワードが含まれる番組の放送信号を、そのキーワードが含まれるキーワードグループに対応付けられている前記いずれかのディスクに記録することを特徴とするチェンジャー型情報記録装置。
【請求項３】
前記キーワードグループが前記トレイごとに設定されており、前記トレイ上に載置されたディスクに、当該キーワードグループに属するキーワードが含まれる番組の放送信号が記録されることを特徴とする請求項２に記載のチェンジャー型情報処理装置。
【請求項４】
前記キーワードグループがディスクの情報領域に記録されており、前記ディスクが任意のトレイ上に載置されて装填されることにより、前記記録制御手段が装填された前記ディスクの情報領域からキーワードグループを読み込み、そのトレイ上に載置されたディスクに、前記読み込んだキーワードグループに属するキーワードが含まれる番組の放送信号を記録することを特徴とする請求項２に記載のチェンジャー型情報処理装置。
【請求項５】
前記キーワードグループのグループ名が固有のユーザ名であることを特徴とする請求項１ないし請求項４のいずれかに記載のチェンジャー型情報処理装置。
【発明の詳細な説明】
【技術分野】
【０００１】
本発明は、デジタル放送信号に含まれるＥＰＧデータの番組表である番組データを用いたキーワード検索記録が可能なチェンジャー型情報記録装置に関する。
【背景技術】
【０００２】
従来より、デジタル放送信号に含まれるＥＰＧデータの番組表である番組データを用いたキーワード検索記録が可能な情報記録装置が種々提案されている。
【０００３】
このような情報記録装置では、種々のジャンルのキーワードを複数設定した場合には、１枚のディスクに多ジャンルの番組がランダムに記録されてしまうため、その後に編集に手間がかかるといった問題が発生する。
【０００４】
一方、このような問題を解決する方法として、デジタルＴＶ放送により伝送されてくる番組データよりジャンルを決定し、記録ジャンルが割り当てられた複数の記録装置の中からジャンルが一致する記録装置を選択し、選択した記録装置に番組を記録させる記録制御装置が提案されている（例えば、特許文献１参照）。
【特許文献１】特開２００２−１０２０８号公報
【発明の開示】
【発明が解決しようとする課題】
【０００５】
上記従来の記録制御装置によれば、記録装置ごとにジャンル分けされた番組を記録することができる。
【０００６】
しかしながら、上記従来の記録制御装置では、デジタルＴＶ放送により伝送されてくる番組データよりジャンルを決定するため、例えばスポーツのジャンルでも野球だけ、サッカーだけといった特定のスポーツのみを記録したくても、スポーツのジャンルに含まれるあらゆるスポーツが１台の記録装置に混在して記録されてしまうといった問題があった。そのため、例えばサッカーだけを記録したい場合には、ジャンルによる記録を一旦解除し、改めて「サッカー」というキーワードを設定する必要があった。
【０００７】
また、ある記録装置が例えばお笑いのジャンルに設定されている場合には、全てのお笑い番組が記録されることになるが、お笑いの中でも特にユーザがひいきにしているお笑いグループ（例えば、「ドランクドラゴン」、「笑い飯」といったお笑いグループ）のみを記録したい場合も同様に、ジャンルによる記録を一旦解除し、改めて「ドランクドラゴン」、「笑い飯」という複数のキーワードをその都度設定する必要があった。
【０００８】
本発明はかかる問題点を解決すべく創案されたもので、その目的は、上記従来の番組データによって与えられる一義的なジャンルという概念を、ユーザによってさらに詳細に定義できるように構成することにより、ユーザの好みに合ったジャンルごとのディスクを作製することのできるチェンジャー型情報記録装置を提供することにある。
【課題を解決するための手段】
【０００９】
上記課題を解決するため、本発明のチェンジャー型情報記録装置は、複数枚のディスクをそれぞれトレイ上に載置して交換可能に保持するディスク保持手段と、番組のタイトルなどの番組データを含む放送信号を受信する受信手段と、前記保持手段の各トレイに保持している複数枚のディスクの中から任意のディスクを選択し、前記受信手段にて受信した放送信号を記録する記録制御手段とを備え、前記番組データを用いたキーワード検索記録が可能なチェンジャー型情報記録装置において、前記キーワードをグループ単位で管理するキーワードグループ管理手段と、各キーワードグループで管理される１または複数のキーワードをユーザが入力する入力手段とをさらに備えており、前記記録制御手段は、前記入力手段にて入力され、前記キーワードグループ管理手段にて管理されている各グループのキーワードにて前記番組データを検索し、該当するキーワードが含まれる番組の放送信号を、そのキーワードが含まれるキーワードグループに対応付けられている前記いずれかのディスクに記録することを特徴としている。
【００１０】
すなわち、本発明によれば、ユーザが入力したキーワードをキーワードグループとしてグループ単位で管理し、任意のディスクに記録するときには、このキーワードグループ単位で記録することで、ディスクごとにユーザの好みに合ったキーワード群（キーワードグループ）の番組を記録することが可能となる。例えば、キーワードグループとして「お笑い」を設定し、そのグループに含まれるキーワードとして例えば「ドランクドラゴン」、「笑い飯」を設定することにより、このキーワードグループが設定されたディスクには、お笑いの中でも、「ドランクドラゴン」と「笑い飯」の出演している番組のみが記録されることになり、ユーザの好みに合った内容のディスクを作製することが可能となる。
【００１１】
この場合、前記キーワードグループを前記トレイごとに設定し、前記トレイ上に載置されたディスクに、当該キーワードグループに属するキーワードが含まれる番組の放送信号が記録されるように構成してもよい。
【００１２】
このように、キーワードグループをトレイごとに設定すれば、そのトレイに載置されていたディスクへの記録が満杯になった場合でも、別のディスクをそのトレイに載置するだけで、同じキーワードグループの番組を引き続き別のディスクに記録することが可能となる。
【００１３】
また、前記キーワードグループをディスクの情報領域に記録し、前記ディスクが任意のトレイ上に載置されて装填されることにより、前記記録制御手段が装填された前記ディスクの情報領域からキーワードグループを読み込み、そのトレイ上に載置されたディスクに、前記読み込んだキーワードグループに属するキーワードが含まれる番組の放送信号を記録するように構成してもよい。
【００１４】
このように、キーワードグループをディスクの情報領域に記録すれば、そのディスクがどのトレイに載置されても、ディスクには、そのディスクに設定されたキーワードグループに属するキーワードを含む番組を確実に記録することが可能となる。つまり、ディスクに間違って別の番組を記録してしまうといった不具合を確実に防止することができる。
【００１５】
さらに、前記キーワードグループを前記任意のトレイとそのトレイに載置される任意のディスクの両方に関連付けて設定し、前記記録制御手段は、前記トレイに設定されたキーワードグループと前記ディスクに設定されたキーワードグループとが一致する場合には、前記トレイ上に載置されたディスクに、当該キーワードグループに属するキーワードが含まれる番組の放送信号を記録し、前記トレイに設定されたキーワードグループと前記ディスクに設定されたキーワードグループとが異なる場合には、ユーザに対して警告を発するように構成してもよい。
【００１６】
このように、キーワードグループを任意のトレイとそのトレイに載置される任意のディスクの両方に関連付けて設定すれば、例えばキーワードグループとして「お笑い」が設定されているトレイに、キーワードグループとして「ゲーム」が設定されているディスクが載置されている場合には、ユーザに対してトレイとディスクの設定が異なっていることを警告することができる。
【００１７】
なお、本発明では、キーワードグループのグループ名として、「お笑い」や「スポーツ」といったいわゆる番組のジャンルに限定されるものではなく、例えば固有のユーザ名（「父」、「母」、「姉」、「弟」等）であってもよい。このようにグループ名を固有のユーザ名に設定することで、各個人ごとのディスクを作製することが可能となる。
【発明の効果】
【００１８】
本発明のチェンジャー型情報記録装置によれば、ユーザが入力したキーワードをキーワードグループとしてグループ単位で管理し、任意のディスクに記録するときには、このキーワードグループ単位で記録することで、ディスクごとにユーザの好みに合わせて設定したキーワード群（キーワードグループ）の番組を記録することができる。
【発明を実施するための最良の形態】
【００１９】
以下、本発明の実施の形態について、図面を参照して説明する。
【００２０】
本実施の形態のチェンジャー型情報記録再生装置は、複数枚（例えば、５枚）の光ディスクを収納保持し、その中から任意の光ディスクを選択して記録できるようになっている。
【００２１】
そのため、本実施の形態のチェンジャー型情報記録再生装置は、図２に示すように、５枚の光ディスクを一度に載置可能なトレイ本体２１を備えており、光ディスクを載置または交換するときには、装置本体２０に設けられた図示しない開閉ボタンを操作することにより、装置本体２０からこのトレイ本体２１の一部を前方に引き出すようになっている。
【００２２】
また、前方に引き出したときには、図２（ｂ）に示すように、トレイ本体２１の２つのトレイ２１ａ，２１ｂが前方に露出するようになっている。つまり、この２つのトレイ２１ａ，２１ｂに載置されている２枚の光ディスクが同時に交換可能となる。
【００２３】
また、他のトレイ２１ｃ〜２１ｅに載置されている光ディスクを交換したい場合には、装置本体２０に設けられている図示しないディスクチェンジボタンを１回操作することにより、一部が露出した状態でトレイ本体２１が右周りに１／５回転し、次の１つのトレイ２１ｃが新たに露出するようになっている。すなわち、トレイ２１ａが装置本体２０内に入るため、露出しているトレイはトレイ２１ｂ，２１ｃとなる。同様に、ディスクチェンジボタンをさらに１回操作すると、トレイ本体２１が右周りにさらに１／５回転し、トレイ２１ｃ，２１ａが露出することになる。
【００２４】
このようなディスクチェンジボタンの操作により、全てのトレイ２１ａ〜２１ｅに光ディスクを載置し、または既に載置されている光ディスクを新たな光ディスク１に交換することができるようになっている。
【００２５】
また、トレイ本体２１は、装置本体２０内でも回転するようになっている。つまり、記録または再生したい光ディスク（トレイ）が選択（図示しないリモコン等により選択）された場合には、その光ディスクを載置しているトレイが記録または再生位置（例えば、図２（ａ）のトレイ２１ｂの位置）にくるように、トレイ本体２１が回転する。
【００２６】
図１は、上記構成のチェンジャー型情報記録再生装置のシステム構成を示している。
【００２７】
上記したように、本実施の形態のチェンジャー型情報記録再生装置は、５枚の光ディスク１を載置可能なトレイ本体２１を備えている。そのため、このトレイ本体２１自体を回転駆動するトレイ駆動機構部２５と、記録動作時（または再生動作時）に記録位置（または再生位置）にあるトレイ（例えば、図２（ａ）に示すトレイ２１ｂ）に載置されている光ディスク１をチャッキングして回転駆動するディスク駆動機構部２６とを備えている。
【００２８】
また、装填された光ディスク１にデータを書き込むとともに光ディスク１からデータを読み込む光ピックアップ３の出力は、ＲＦアンプ５を介してデジタル信号処理回路７に接続されており、デジタル信号処理回路７の出力は、光ピックアップ３によるデータの書き込み時や読み込み時のレーザ出力を制御するレーザドライバ８に接続されている。また、サーボ処理回路９の出力は、光ピックアップ３を光ディスク１の半径方向に移動させるためのフィードモータ４と光ディスク１を回転駆動するスピンドルモータ２とに接続されており、これらデジタル信号処理回路７及びサーボ処理回路９は、装置全体の動作制御を行うシステムコントローラ１０と双方向に接続されている。
【００２９】
デジタル信号処理回路７には、記録動作時や再生動作時にデータを一時的に蓄積するバッファとしてのＤＲＡＭ６が双方向に接続されているとともに、デジタルデータをアナログデータに変換してＣＲＴ等の表示装置１８に出力するＤ／Ａ変換回路１２が接続されている。また、デジタル信号処理回路７には、デジタルのテレビジョン放送信号を受信するチューナ回路（ＢＳチューナ，ＣＳチューナ等）１５が接続されている。
【００３０】
システムコントローラ１０には、光ディスク１のパラメータやレーザパワーのパラメータ等の固有情報を格納しておくためのＥＥＰＲＯＭ１１が双方向に接続されているとともに、リモコン３１からの赤外線信号を受信する受信部１４が接続されている。
【００３１】
デジタル信号処理回路７は、ＥＦＭ復調や、ＡＣＩＲＣ（Advanced Cross Interleaved Reed-Solomon Code）による誤り訂正方式に従って、１６ビットの信号を８ビットづつに区切り、その８ビットを１４ビットに変換するといった処理等を行う。また、デジタル信号処理回路７は、復調したオーディオデータを音声伸長処理してＤ／Ａ変換回路１２に出力する。Ｄ／Ａ変換回路１２は、音声伸長処理されたオーディオデータをアナログ信号に変換して出力する。また、デジタル信号処理回路７は、チューナ回路１５によって受信されたデジタルのテレビジョン放送信号を、光ディスク１に書き込むためのデータ圧縮等の処理を行う。
【００３２】
システムコントローラ１０は、装置全体の動作制御を行うものであって、光ディスク１をトレイ本体２１に載置し、または交換するときにはトレイ駆動機構部２５を制御し、記録位置にある光ディスク１に記録を行うときにはディスク駆動機構部２６を制御する。
【００３３】
上記構成において、本実施形態では、デジタル放送信号に含まれる電子番組ガイドであるＥＰＧデータ（番組データ）を用いたキーワード検索記録が可能な構成となっている。ＥＰＧデータを用いたキーワード検索自体は従来周知の技術であるので、ここではＥＰＧデータを用いたキーワード検索自体の説明は省略する。
【００３４】
本実施形態では、検索キーワードを、ユーザが例えばリモコン３１を使用して設定したグループ単位で管理するようになっている。管理場所としては、例えばＥＥＰＲＯＭ１１にファイル形式で格納される。以下、本発明の特徴である検索キーワードをグループ単位で管理する具体的実施例について詳細に説明する。
【実施例１】
【００３５】
図３は、検索キーワードをグループごとに管理する管理ファイルの構成例を示している。この管理ファイルは、管理番号、グループ名、キーワード、リンク情報の各項目からなっている。グループ名の欄には、ユーザが設定したグループ名が書き込まれる。ここで、グループ名は、ユーザ自身が内容を把握し易い名前に設定すればよく、必ずしもＥＰＧデータのキーワードに対応している必要はない。この例では、管理番号１のグループ名欄に「お笑い」、管理番号２のグループ名欄に「ゲーム」、管理番号３のグループ名欄に「サッカー」が設定されている。
【００３６】
また、管理番号１のキーワード欄には、「お笑い」のより詳細な内容としてユーザにより「ドランクドラゴン」と「笑い飯」の２つのキーワードが設定されており、管理番号２のキーワード欄には、「ゲーム」のより詳細な内容としてユーザにより「戦国無双」、「信長の野望」の２つのキーワードが設定されており、管理番号３のキーワード欄には、「サッカー」のより詳細な内容としてユーザにより「Ｗ杯」、「Ｕ−２３」の２つのキーワードが設定されている。
【００３７】
このように、ユーザの希望する１または複数のキーワードを１つのキーワードグループというグループ名で管理することで、１つの光ディスクに複数のキーワードを設定する場合に、いちいち複数のキーワードを入力して設定しなくても、グループ名を設定するだけで、そのグループ名に含まれる全てのキーワードを設定することが可能となる。
【００３８】
すなわち、ユーザは、任意のグループ名を入力設定することで、システムコントローラ１０は、そのグループ名に属するキーワードを含む番組をＥＰＧデータから検索して抽出し、その抽出した番組のみを光ディスク１に順次記録するようになっている。
【００３９】
ここで、リンク情報欄には、設定したキーワードを含む番組をどのトレイまたは光ディスクに記録させるのかを関連付けるための情報が書き込まれる。この例では、管理番号１のリンク情報欄にトレイ番号２が書き込まれており、管理番号２のリンク情報欄にトレイ番号４が書き込まれており、管理番号３のリンク情報欄にトレイ番号５が書き込まれている。どのキーワードグループをどのトレイに設定するかはユーザが自由に決定すればよい。ここで、トレイ番号１は図２に示すトレイ２１ａに相当し、トレイ番号２はトレイ２１ｂに相当し、トレイ番号３はトレイ２１ｃに相当し、トレイ番号４はトレイ２１ｄに相当し、トレイ番号５はトレイ２１ｄに相当しているものとする。
【００４０】
つまり、本実施例１は、キーワードグループをトレイごとに設定する実施例となっている。具体的には、例えばトレイ番号２のトレイ２１ｂに載置された光ディスク１には、キーワードグループとして「お笑い」が設定されているので、システムコントローラ１０は、この「お笑い」に含まれる検索キーワード「ドランクドラゴン」と「笑い飯」を管理ファイルから抽出し、これらキーワードを含む番組のみをトレイ番号２のトレイ２１ｂに載置されている光ディスク１に順次記録する。
【００４１】
また、図３に示す管理ファイルには、管理番号ｍのキーワード欄のみにキーワードとして例えば「エースを狙え」が設定されており、そのリンク情報欄にトレイ番号３が書き込まれている。また、管理番号ｎのキーワード欄のみにキーワードとして例えば「ロード・オブ・ザ・リング」が設定されており、そのリンク情報欄にトレイ番号１が書き込まれている。このように、グループ名を設定することなくキーワード欄のみにキーワードを設定した場合には、従来通りのキーワード検索が行われ、そのキーワードに関連する番組がリンク情報欄に書き込まれたトレイ番号のトレイに載置された光ディスクに記録されることになる。
【００４２】
因みに、図４は、図３に示す管理ファイルの内容に従い、各トレイに設定されたキーワードまたはキーワードグループとそのグループに含まれるキーワードを対応づけて示した説明図である。
【００４３】
また、本実施例１では、キーワードグループ及びキーワードを管理ファイルによって装置本体側で一元管理しているので、例えば任意のトレイにキーワードを追加する場合でも、この管理ファイルの該当するキーワードグループのキーワード欄に所望のキーワードを追加するだけで、リンク情報欄に書き込まれているトレイ番号のトレイに新たなキーワードを追加したことになる。例えば、キーワードグループ「お笑い」のキーワード欄に「中川家」を追加するだけで、トレイ番号２のトレイ２１ｂに新たなキーワード「中川家」が追加されることになる。すなわち、本実施例１では、新たなキーワードの追加や削除、変更等の処理を、トレイごとではなく、管理ファイルで一元的に行うことができるといった利点がある。
【実施例２】
【００４４】
上記実施例１では、キーワードグループをトレイごとに設定しているが、本実施例２では、キーワードグループを光ディスクごとに設定する。そのため、本実施例２では、図３に示す管理ファイルのリンク情報欄にトレイ番号ではなく、光ディスク１に固有のＩＤコードを書き込むことになる。すなわち、本実施例２では、図３に示す管理ファイルを利用する実施例となっている。そのため、管理ファイルには、ユーザによってキーワードグループとそのグループに属するキーワードが、図３に示すように予め設定されているものとする。
【００４５】
また、本実施例２では、管理ファイルで管理されているキーワードグループを、光ディスク１のリードインエリアにある情報領域に記録する。そして、この光ディスク１が任意のトレイ上に載置されて装置本体内に装填されると、システムコントローラ１０が装填された光ディスク１の情報領域からキーワードグループを読み込み、そのトレイ上に載置された光ディスク１に、読み込んだキーワードグループに属するキーワードが含まれる番組の放送信号を記録するようになっている。
【００４６】
具体的に説明すると、例えば光ディスク１ａの情報領域にキーワードグループとして「お笑い」が記録されているものとすると、この光ディスク１ａが任意のトレイに載置されて装置本体内に装填されたとき、システムコントローラ１０は、装填された光ディスク１ａの情報領域からキーワードグループとして「お笑い」を読み込み、この「お笑い」をキーとして管理ファイルを検索し、該当するキーワードグループのリンク情報欄に光ディスク１ａの固有のＩＤコード（例えば、「ａａａａ」）を書き込む。図５はこの状態の管理ファイルを示している。また、光ディスク１ｂの情報領域にキーワードとして「エースを狙え」が記載されているものとすると、この光ディスク１ｂが任意のトレイに載置されて装置本体内に装填されたとき、システムコントローラ１０は、装填された光ディスク１ｂの情報領域からキーワードとして「エースを狙え」を読み込み、この「エースを狙え」をキーとして管理ファイルを検索する。この場合、管理ファイルのキーワードグループの欄には該当するキーワードが無いことから、システムコントローラ１０は次にキーワード欄を検索する。そして、該当するキーワードが存在する管理番号ｍのリンク情報欄に、図５に示すように、光ディスク１ｂの固有のＩＤコード（例えば、「ｂｂｂｂ」）を書き込む。なお、キーワード欄を検索しても該当するキーワードが存在しない場合には、空欄となっている任意の管理番号のキーワード欄に「エースを狙え」を設定し、リンク情報欄に光ディスク１ｂの固有のＩＤコード「ｂｂｂｂ」を書き込むことになる。
【００４７】
これにより、任意のトレイに載置されている例えば光ディスク１ａには、キーワードグループとして「お笑い」が設定されているので、システムコントローラ１０は、この「お笑い」に含まれる検索キーワードである「ドランクドラゴン」と「笑い飯」を図５に示す管理ファイルから抽出し、これらキーワードを含む番組のみを任意のトレイに載置されている光ディスク１ａに順次記録する。また、任意のトレイに載置されている例えば光ディスク１ｂには、キーワードグループは設定されておらず、キーワードとして「エースを狙え」が設定されているので、システムコントローラ１０は、この「エースを狙え」のキーワードを含む番組のみを任意のトレイに載置されている光ディスク１ｂに順次記録する。
【００４８】
このように、本実施例２では、キーワードグループまたはキーワードを光ディスク１の情報領域に記録しているので、その光ディスク１がどのトレイに載置されても、光ディスク１には、その光ディスク１に設定されたキーワードグループに属するキーワードまたは単に設定されたキーワードを含む番組を確実に記録することが可能となる。
【００４９】
なお、上記実施例２では、キーワードグループを光ディスクごとに設定するに際し、光ディスクにはキーワードグループのみを記録し、そのキーワードグループに属する１または複数のキーワードについては、図５に示す管理ファイルを利用する構成としているが、キーワードグループのみならずこのグループに属するキーワードも光ディスクの情報領域に記録し、図５に示す管理ファイルは使用しない構成とすることができる。この場合には、光ディスク１から読み込んだキーワードグループ及びキーワードを、光ディスク１の固有のＩＤコード及び載置されているトレイ番号とともに例えばＤＲＡＭ６に格納しておく。そして、キーワード検索記録時、システムコントローラ１０は、このＤＲＡＭ６に格納されているキーワードに基づき、これらキーワードを含む番組のみを任意のトレイに載置されている該当する光ディスク１に順次記録する
【実施例３】
【００５０】
本実施例３は、キーワードグループを任意のトレイとそのトレイに載置される任意の光ディスクの両方に関連付けて設定する実施例である。
【００５１】
すなわち、キーワードグループをトレイごとに設定する構成は、上記実施例１と全く同様であり、図３に示す管理ファイルを用いて行う。また、キーワードグループを光ディスクごとに設定する構成は、上記実施例２と全く同様である。
【００５２】
システムコントローラ１０は、トレイに設定されたキーワードグループと光ディスクに設定されたキーワードグループとが一致する場合には、そのトレイ上に載置されたその光ディスクに、当該キーワードグループに属するキーワードが含まれる番組の放送信号を記録する。具体的に説明すると、例えば光ディスク１ａの情報領域にキーワードグループとして「お笑い」が記録されているものとし、この光ディスク１ａがトレイ番号２のトレイ２１ｂに載置されている場合には、トレイ番号２のトレイ２１ｂに設定されたキーワードグループ「お笑い」と光ディスク１ａに記録されているキーワードグループ「お笑い」とが一致することから、システムコントローラ１０は、トレイ２１ｂに載置されている光ディスク１ａに、キーワードグループ「お笑い」に属する「ドランクドラゴン」と「笑い飯」のキーワードを含む番組のみを記録する。
【００５３】
一方、システムコントローラ１０は、トレイに設定されたキーワードグループと光ディスクに設定されたキーワードグループとが異なる場合には、ユーザに対して警告を発する。具体的に説明すると、上記の光ディスク１ａが例えばトレイ番号５のトレイ２１ｅに載置されている場合には、トレイ番号５のトレイ２１ｅに設定されたキーワードグループ「サッカー」と光ディスク１ａに記録されているキーワードグループ「お笑い」とが異なることから、システムコントローラ１０は、例えば表示装置１８に不一致である旨のメッセージを表示して、ユーザに警告する。これにより、ユーザは、光ディスク１ａを間違ったトレイに載置したことが分かるので、この時点で光ディスク１ａを正しいトレイに載置し直すことができる。
【００５４】
一方、ユーザは、「お笑い」を記録していた光ディスク１ａに続けて「サッカー」を記録したい場合には、この警告に対し、例えばリモコン３１の図示しない「決定」ボタンを押す。これにより、システムコントローラ１０は、この「決定」ボタンの操作に基づき、光ディスク１ａに記録されているキーワードを無効とし、トレイ２１ｅに設定されているキーワードを有効として扱い、光ディスク１ａにキーワードグループ「サッカー」に属する「Ｗ杯」と「Ｕ−２３」のキーワードを含む番組のみを続けて記録する。ただし、「決定」ボタンの操作によりトレイ２１ｅに設定されているキーワードを無効とし、光ディスク１ａに記録されているキーワードを有効として扱うように構成してもよい。また、どちらを有効とするかを選択する「選択」ボタンをリモコン３１に設けておき、ユーザによって自由に選択できるように構成してもよい。
【００５５】
なお、上記各実施例では、キーワードグループのグループ名として、「お笑い」や「スポーツ」といったいわゆる番組のジャンルを設定するように構成しているが、例えば、固有のユーザ名（「父」、「母」、「姉」、「弟」等）を設定するようにしてもよい。このようにグループ名を固有のユーザ名に設定することで、各個人ごとの専用の光ディスクを作製することが可能となる。
【図面の簡単な説明】
【００５６】
【図１】本発明のチェンジャー型情報記録再生装置のシステム構成を示すブロック図である。
【図２】本発明のチェンジャー型情報記録再生装置のチェンジャー部分を上から見た概略平面図である。
【図３】検索キーワードをグループごとに管理する管理ファイルの構成例を示す説明図である。
【図４】図３に示す管理ファイルの内容に従い、各トレイに設定されたキーワードまたはキーワードグループとそのグループに含まれるキーワードを対応づけて示した説明図である。
【図５】検索キーワードをグループごとに管理する管理ファイルの構成例を示す説明図である。
【符号の説明】
【００５７】
１  光ディスク
２  スピンドルモータ
３  光ピックアップ
４  フィードモータ
５  ＲＦアンプ
６  ＤＲＡＭ（メモリバッファ）
７  デジタル信号処理回路
８  レーザドライバ
９  サーボ処理回路
１０  システムコントローラ
１１  ＥＥＰＲＯＭ（メモリ）
１２  Ｄ／Ａ変換回路
１５  チューナ回路
１６  受信回路
１８  表示装置
２０  装置本体
２１  トレイ本体
２１ａ〜２１ｅ  トレイ
２５  トレイ駆動機構部
２６  ディスク駆動機構部
３１  リモコン
【図１】
2005346801.tif 000003
【図２】
2005346801.tif 000004
【図３】
2005346801.tif 000005
【図４】
2005346801.tif 000006
【図５】
2005346801.tif 000007